(57)【要約】  ヘッド機能評価装置（１１）は、変位部材（１５）に着脱自在に固定される記録ディスク駆動機構ユニット（１４）を備える。記録ディスク駆動機構ユニットでは流体軸受けモータの回転軸に記録ディスクは装着される。記録ディスクの駆動にあたって流体軸受けモータが利用される。流体軸受けモータはいわゆるエアスピンドルに比べて格段に小型化されることができる。しかも、この記録ディスク駆動機構ユニットでは第１および第２平滑面の働きでいわゆるスクイーズ効果が発揮される。その結果、回転中の記録ディスクで振動は抑制される。したがって、こういったヘッド機能評価装置は小型化に拘わらず記録ディスクの回転中に十分に回転軸のぶれを抑制することができる。【特許請求の範囲】
【請求項１】
支持台と、支持台上に固定されて、ヘッドサスペンションを保持するヘッド保持ユニットと、ヘッド保持ユニットに対して相対変位自在に支持台上に配置される変位部材と、変位部材に着脱自在に固定されるベースと、ベースに組み込まれる流体軸受けモータと、ヒンジでベースに連結されるカバーと、ベースに形成されて、流体軸受けモータの回転軸を途切れなく囲む第１平滑面と、第１平滑面に平行にカバーに形成されて、第１平滑面に向き合わせられつつ流体軸受けモータの回転軸を途切れなく囲む第２平滑面とを備えることを特徴とするヘッド機能評価装置。
【請求項２】
ベースと、ベースに組み込まれる流体軸受けモータと、ヒンジでベースに連結されるカバーと、ベースに形成されて、流体軸受けモータの回転軸を途切れなく囲む第１平滑面と、第１平滑面に平行にカバーに形成されて、第１平滑面に向き合わせられつつ流体軸受けモータの回転軸を途切れなく囲む第２平滑面とを備えることを特徴とする記録ディスク駆動機構ユニット。
【請求項３】
回転軸に形成されて、回転軸から遠心方向に外側に広がるフランジと、回転軸の軸心に平行な母線で描かれる円柱空間で回転軸を受け入れ、回転軸の軸心の方向にフランジで受け止められるクランプと、回転軸の軸心から遠心方向に変位可能に回転軸上に支持される接触体と、遠心方向に接触体を押し出す弾性力を発揮する弾性部材とを備え、前記クランプは、前記回転軸の軸心の方向に沿って前記円柱空間から遠ざかるにつれて回転軸の軸心から遠ざかる傾斜面で前記接触体の先端を受け止めることを特徴とする記録ディスク保持装置。
【請求項４】
請求の範囲第３項に記載の記録ディスク保持装置において、前記クランプには、クランプの移動に伴って接触体との接触に基づき回転軸の軸心に向かって接触体に推進力を加えるカム面が規定されることを特徴とする記録ディスク保持装置。
【請求項５】
請求の範囲第３項に記載の記録ディスク保持装置において、前記傾斜面は、前記円柱空間の一端に接続されて円柱空間から遠ざかるにつれて外側に広がる円錐台空間を区画することを特徴とする記録ディスク保持装置。
【請求項６】
支持台と、支持台上に固定されて、ヘッドサスペンションを保持するヘッド保持ユニットと、ヘッド保持ユニットに対して相対変位自在に支持台上に配置される変位部材と、変位部材に着脱自在に固定されるベースと、ベースに組み込まれる流体軸受けモータと、軸受けモータの回転軸に形成されて、回転軸から遠心方向に外側に広がるフランジと、回転軸の軸心に平行な母線で描かれる円柱空間で回転軸を受け入れ、回転軸の軸心の方向にフランジで受け止められるクランプと、回転軸の軸心から遠心方向に変位可能に回転軸上に支持される接触体と、遠心方向に接触体を押し出す弾性力を発揮する弾性部材とを備え、前記クランプは、前記回転軸の軸心の方向に沿って前記円柱空間から遠ざかるにつれて回転軸の軸心から遠ざかる傾斜面で前記接触体の先端を受け止めることを特徴とするヘッド機能評価装置。
【請求項７】
固定体と、相対変位自在に固定体に連結される可動体と、固定体および可動体の間に組み込まれる圧電アクチュエータと、ヘッドサスペンションの基端でヘッドサスペンションアセンブリに組み込まれる取り付け板を可動体上に固定する固定機構と、ヘッドサスペンションの先端でヘッドサスペンションアセンブリに組み込まれるヘッドスライダを負圧に基づき可動体に向かって引き寄せる吸引機構とを備えることを特徴とするヘッドサスペンション保持装置。
【請求項８】
支持台と、支持台上に固定される固定体と、相対変位自在に固定体に連結される可動体と、固定体および可動体の間に組み込まれる圧電アクチュエータと、ヘッドサスペンションの基端でヘッドサスペンションアセンブリに組み込まれる取り付け板を可動体上に固定する固定機構と、ヘッドサスペンションの先端でヘッドサスペンションアセンブリに組み込まれるヘッドスライダを負圧に基づき可動体に向かって引き寄せる吸引機構と、固定体に対して相対変位自在に支持台上に配置される変位部材と、変位部材に着脱自在に固定されるベースと、ベースに組み込まれる流体軸受けモータと、ヒンジでベースに連結されるカバーとを備えることを特徴とするヘッド機能評価装置。
【発明の詳細な説明】
【技術分野】
【０００１】
本発明は、例えばハードディスク駆動装置といった記録ディスク装置に組み込まれる電磁変換素子その他のヘッドの機能を評価するヘッド機能評価装置に関する。
【背景技術】
【０００２】
例えば特許文献１に記載されるように、ヘッド機能評価装置は広く知られる。こういったヘッド機能評価装置では、例えばヘッドスライダを含むヘッドサスペンションアセンブリがヘッドサスペンション保持装置上に保持される。ヘッドスライダ上の電磁変換素子すなわち磁気ヘッドは回転中の磁気ディスクの表面に向き合わせられる。磁気ヘッドから読み出される信号に基づき磁気ヘッドの機能は評価される。【０００３】
磁気ディスクはエアスピンドルすなわち空気軸受けスピンドルモータの回転軸に装着される。空気軸受けスピンドルモータは磁気ディスクの回転中に空気圧の働きに基づき回転軸のぶれを抑制する。磁気ディスクの振動は抑制される。その一方、空気圧の生成といった機能に起因してスピンドルモータの大型化は避けられない。
【特許文献１】日本国特開２００３−１２３３５６号公報
【特許文献２】日本国特開２００２−０７４７９４号公報
【特許文献３】日本国特開２００２−０６３７５５号公報
【特許文献４】日本国特開２００４−２９６０８５号公報
【特許文献５】日本国特開２００２−１７５６１３号公報
【発明の開示】
【０００４】
本発明は、上記実状に鑑みてなされたもので、小型化に拘わらず記録ディスクの回転中に回転軸のぶれを抑制することができる記録ディスク駆動機構ユニットを提供することを目的とする。また、本発明は、回転軸に対して簡単にクランプを着脱することができる記録ディスク保持装置を提供することを目的とする。さらにまた、本発明は、できる限りヘッドサスペンションアセンブリの損傷を回避することができるヘッドサスペンション保持装置を提供することを目的とする。
【０００５】
上記目的を達成するために、第１発明によれば、支持台と、支持台上に固定されて、ヘッドサスペンションを保持するヘッド保持ユニットと、ヘッド保持ユニットに対して相対変位自在に支持台上に配置される変位部材と、変位部材に着脱自在に固定されるベースと、ベースに組み込まれる流体軸受けモータと、ヒンジでベースに連結されるカバーと、ベースに形成されて、流体軸受けモータの回転軸を途切れなく囲む第１平滑面と、第１平滑面に平行にカバーに形成されて、第１平滑面に向き合わせられつつ流体軸受けモータの回転軸を途切れなく囲む第２平滑面とを備えることを特徴とするヘッド機能評価装置が提供される。
【０００６】
こういったヘッド機能評価装置では流体軸受けモータの回転軸に記録ディスクは装着される。記録ディスクの駆動にあたって流体軸受けモータが利用される。流体軸受けモータはいわゆるエアスピンドルに比べて格段に小型化されることができる。しかも、このヘッド機能評価装置では第１および第２平滑面の働きでいわゆるスクイーズ効果が発揮される。その結果、回転中の記録ディスクで振動は抑制される。したがって、こういったヘッド機能評価装置は小型化に拘わらず記録ディスクの回転中に十分に回転軸のぶれを抑制することができる。
【０００７】
こういったヘッド機能評価装置の実現にあたって、記録ディスク駆動機構ユニットは、ベースと、ベースに組み込まれる流体軸受けモータと、ヒンジでベースに連結されるカバーと、ベースに形成されて、流体軸受けモータの回転軸を途切れなく囲む第１平滑面と、第１平滑面に平行にカバーに形成されて、第１平滑面に向き合わせられつつ流体軸受けモータの回転軸を途切れなく囲む第２平滑面とを備えればよい。こういった記録ディスク駆動機構ユニットの利用によれば、ヘッド機能評価装置では簡単に記録ディスク駆動機構ユニットは取り外されることができる。したがって、たとえ使用中の記録ディスク駆動機構ユニットが故障しても、記録ディスク駆動機構ユニットは簡単に交換されることができる。ヘッド機能評価装置の動作の休止はできる限り短縮されることができる。
【０００８】
第２発明によれば、支持台と、支持台上に固定されて、ヘッドサスペンションを保持するヘッド保持ユニットと、ヘッド保持ユニットに対して相対変位自在に支持台上に配置される変位部材と、変位部材に着脱自在に固定されるベースと、ベースに組み込まれる流体軸受けモータと、軸受けモータの回転軸に形成されて、回転軸から遠心方向に外側に広がるフランジと、回転軸の軸心に平行な母線で描かれる円柱空間で回転軸を受け入れ、回転軸の軸心の方向にフランジで受け止められるクランプと、回転軸の軸心から遠心方向に変位可能に回転軸上に支持される接触体と、遠心方向に接触体を押し出す弾性力を発揮する弾性部材とを備え、前記クランプは、前記回転軸の軸心の方向に沿って前記円柱空間から遠ざかるにつれて回転軸の軸心から遠ざかる傾斜面で前記接触体の先端を受け止めることを特徴とするヘッド機能評価装置が提供される。
【０００９】
クランプが回転軸に完全に装着されると、回転軸上のフランジとクランプとの間に記録ディスクは挟み込まれる。クランプ上の傾斜面には回転軸上の接触体の先端が突き当てられる。接触体の遠心方向の推進力は傾斜面の働きで下向きの駆動力としてクランプに伝達される。したがって、弾性部材の弾性力に応じてクランプは押し付け力を発揮する。この押し付け力に応じて回転軸の回転時に回転軸回りで記録ディスクの滑りは防止される。
【００１０】
クランプの取り外しにあたってクランプは回転軸に沿ってフランジから遠ざけられる。クランプが遠ざけられるにつれて、傾斜面の働きで接触体は弾性部材の弾性力に抗して後退していく。接触体の先端が回転軸の軸心に向かって十分に引っ込むと、回転軸は円柱空間から単純に引き抜かれることができる。
【００１１】
加えて、クランプには、クランプの移動に伴って接触体との接触に基づき回転軸の軸心に向かって接触体に推進力を加えるカム面が規定されてもよい。こういったカム面は、回転軸に対してクランプを装着する際に利用されることができる。クランプの装着にあたってカム面は弾性部材の弾性力に抗して接触体を後退させる。こうして接触体の配置にも拘わらず、回転軸は簡単に円柱空間に進入していくことができる。クランプの装着は円滑に実現されることができる。
【００１２】
以上のようなヘッド機能評価装置では、回転軸に対してクランプが移動するだけでクランプは回転軸から着脱されることができる。クランプの着脱にあたって作業者の操作は簡素化される。その結果、記録ディスクの交換にあたって作業時間は短縮されることができる。ヘッド機能評価装置の動作の休止はできる限り短縮されることができる。しかも、クランプの押し付け力は弾性部材の弾性力に基づき適度に調整されることができる。こういった押し付け力に基づく記録ディスクのうねりは回避されることができる。従来のように例えばねじでクランプが回転軸に固定されると、比較的に強い締め付け力でねじがねじ込まれなければ、長時間の記録ディスクの回転中にねじが緩んでしまう。その一方で、このように強い締め付け力が確保されると、記録ディスクには回転軸回りでうねりが生成されてしまう。
【００１３】
こういったヘッド機能評価装置の実現にあたって、記録ディスク保持装置は、回転軸に形成されて、回転軸から遠心方向に外側に広がるフランジと、回転軸の軸心に平行な母線で描かれる円柱空間で回転軸を受け入れ、回転軸の軸心の方向にフランジで受け止められるクランプと、回転軸の軸心から遠心方向に変位可能に回転軸上に支持される接触体と、遠心方向に接触体を押し出す弾性力を発揮する弾性部材とを備えればよい。このとき、クランプは、回転軸の軸心の方向に沿って円柱空間から遠ざかるにつれて回転軸の軸心から遠ざかる傾斜面で接触体の先端を受け止めればよい。傾斜面は、円柱空間の一端に接続されて円柱空間から遠ざかるにつれて外側に広がる円錐台空間を区画すればよい。
【００１４】
第３発明によれば、支持台と、支持台上に固定される固定体と、相対変位自在に固定体に連結される可動体と、固定体および可動体の間に組み込まれる圧電アクチュエータと、ヘッドサスペンションの基端でヘッドサスペンションアセンブリに組み込まれる取り付け板を可動体上に固定する固定機構と、ヘッドサスペンションの先端でヘッドサスペンションアセンブリに組み込まれるヘッドスライダを負圧に基づき可動体に向かって引き寄せる吸引機構と、固定体に対して相対変位自在に支持台上に配置される変位部材と、変位部材に着脱自在に固定されるベースと、ベースに組み込まれる流体軸受けモータと、ヒンジでベースに連結されるカバーとを備えることを特徴とするヘッド機能評価装置が提供される。
【００１５】
こういったヘッド機能評価装置では、流体軸受けモータの回転軸に記録ディスクは装着される。固定機構の働きでヘッドサスペンションの基端で取り付け板が可動体に固定される。圧電アクチュエータは可動体の変位を引き起こす。可動体の変位に基づきヘッドスライダは記録ディスクに対して正確に位置合わせされる。こうしてヘッドの機能の評価は実施される。
【００１６】
評価が完了すると、吸引機構の働きでヘッドスライダは可動体に向かって引き寄せられる。その結果、ヘッドスライダは記録ディスクの表面から遠ざけられる。その後、変位部材の働きで記録ディスクはヘッドスライダから遠ざけられる。記録ディスクの移動に先立って吸引機構の働きでヘッドスライダは記録ディスクから遠ざけられることから、回転中の記録ディスクとヘッドスライダとの衝突は確実に回避されることができる。こうしてヘッドサスペンションアセンブリの損傷はできる限り回避される。
【００１７】
こういったヘッド機能評価装置の実現にあたって、ヘッドサスペンション保持装置は、固定体と、相対変位自在に固定体に連結される可動体と、固定体および可動体の間に組み込まれる圧電アクチュエータと、ヘッドサスペンションの基端でヘッドサスペンションアセンブリに組み込まれる取り付け板を可動体上に固定する固定機構と、ヘッドサスペンションの先端でヘッドサスペンションアセンブリに組み込まれるヘッドスライダを負圧に基づき可動体に向かって引き寄せる吸引機構とを備えればよい。
【図面の簡単な説明】
【００１８】
【図１】ヘッド機能評価装置すなわちスピンスタンドの構成を概略的に示す斜視図である。
【図２】スピンスタンドに組み込まれる記録ディスク駆動機構ユニットの外観を概略的に示す斜視図である。
【図３】記録ディスク駆動機構ユニットの構造を概略的に示す斜視図である。
【図４】記録ディスク駆動機構ユニットに関連付けられる記録ディスク保持装置の構造を概略的に示す拡大垂直断面図である。
【図５】第１および第２平滑面および磁気ディスクの表面の間隔すなわちギャップと磁気ディスクのフラッタすなわち振動との関係を示すグラフである。
【図６】スピンスタンドに組み込まれるヘッド保持ユニットの構造を概略的に示す拡大平面図である。
【発明を実施するための最良の形態】
【００１９】
以下、添付図面を参照しつつ本発明の実施形態を説明する。【００２０】
図１はヘッド機能評価装置すなわちスピンスタンド１１の構成を概略的に示す。このスピンスタンド１１は従来に比べて小型の支持台１２を備える。支持台１２上にはヘッド保持ユニット１３が固定される。ヘッド保持ユニット１３は不動に固定されればよい。ヘッド保持ユニット１３は、後述されるように、例えばハードディスク駆動装置（ＨＤＤ）に組み込まれるヘッドサスペンションアセンブリを保持する。【００２１】
支持台１２上には記録ディスク駆動機構ユニット１４が配置される。記録ディスク駆動機構ユニット１４の配置にあたって支持台１２上にはヘッド保持ユニット１３に対して相対変位自在に変位部材１５が取り付けられる。記録ディスク駆動機構ユニット１４は着脱自在に変位部材１５に固定される。記録ディスク駆動機構ユニット１４は例えばねじ留めされればよい。記録ディスク駆動機構ユニット１４は、後述されるように、所定の回転軸回りで磁気ディスクを回転駆動する。【００２２】
ヘッドサスペンションアセンブリにはいわゆるヘッドスライダが組み込まれる。ヘッドスライダには電磁変換素子すなわち磁気ヘッドが搭載される。記録ディスク駆動機構ユニット１４の変位に応じて磁気ヘッドは回転中の磁気ディスクの表面に向き合わせられる。磁気ヘッドから読み出される信号に基づき磁気ヘッドの機能は評価される。【００２３】
こういったスピンスタンド１１では記録ディスク駆動機構ユニット１４が簡単に支持台１２から取り外されることができる。したがって、たとえ使用中の記録ディスク駆動機構ユニット１４が故障しても、記録ディスク駆動機構ユニット１４は簡単に交換されることができる。スピンスタンド１１の動作の休止はできる限り短縮されることができる。【００２４】
図２に示されるように、記録ディスク駆動機構ユニット１４は、着脱自在に変位部材１５に固定されるベース１６を備える。ベース１６の表面にはカバー１７が重ね合わせられる。カバー１７はヒンジ１８でベース１６に連結される。ヒンジ１８は水平方向に延びる支軸１９を備える。したがって、カバー１７はベース１６に対して支軸１９回りで回転することができる。【００２５】
図３を併せて参照し、ベース１６にはスピンドルモータ２１が組み込まれる。このスピンドルモータ２１は流体軸受けモータで構成される。流体軸受けモータには例えばＨＤＤに組み込まれるスピンドルモータと同様のものが用いられればよい。すなわち、流体軸受けモータは、周知の通りに、回転軸と、この回転軸を受け入れる円筒部材とを備える。回転軸と円筒部材の内面との間は流体すなわち潤滑油で満たされる。スピンドルモータ２１は例えば３５００ｒｐｍ〜１５０００ｒｐｍといった高速度で回転軸２２を回転させる。【００２６】
ベース１６の表面には、ヒンジ１８の支軸１９に平行に１水平面に沿って広がる環状の第１平滑面２３が形成される。この第１平滑面２３はスピンドルモータ２１の回転軸２２を途切れなく囲む。第１平滑面２３の内周および外周は回転軸２２と同軸の円で仕切られればよい。ただし、第１平滑面２３の外周には切り欠き２４が形成される。この切り欠き２４は、ヒンジ１８の支軸１９に平行であって回転軸２２の軸心に平行な垂直平面で切り出されればよい。前述のような評価の実施中、この切り欠き２４に沿ってヘッドサスペンションアセンブリは配置される。内周および外周の間隔や配置は、例えば回転軸２３に装着される磁気ディスク２５の大きさに応じて決定されればよい。【００２７】
カバー１７は対向面でベース１６の表面に向き合わせられる。カバー１７の対向面にはドーム形の窪み２６が形成される。ヒンジ１８の働きでカバー１７がベース１６の表面に重ね合わせられると、スピンドルモータ２１の回転軸２２の先端は窪み２６に収容される。【００２８】
カバー１７の対向面には、ヒンジ１８の支軸１９に平行に１平面に沿って広がる環状の第２平滑面２７が形成される。この第２平滑面２７は窪み２６を途切れなく囲む。第２平滑面２７の内周および外周は同軸の円で仕切られればよい。カバー１７がベース１６の表面に重ね合わせられると、第２平滑面２７は第１平滑面２３に向き合わせられる。第１および第２平滑面２３、２７は相互に平行に配置される。円の中心は回転軸２２の軸心に一致する。第１および第２平滑面２３、２７の間隔は、後述されるように、例えば回転軸２２に装着される磁気ディスク２５の厚みに応じて決定されればよい。【００２９】
第２平滑面２７の外側には例えば１対の接触片２８が固定される。接触片２８はカバー１７に一体化されればよい。カバー１７がベース１６の表面に重ね合わせられると、カバー１７は接触片２８でベース１６の表面に接触する。接触片２８は第２平滑面２６よりも突出することから、接触片２８の働きで前述のような第１および第２平滑面２３、２７の間隔や配置は確保される。【００３０】
スピンドルモータ２１には記録ディスク保持装置２９が関連付けられる。この記録ディスク保持装置２９は、図４に示されるように、回転軸２２に形成されて、回転軸２２から遠心方向に外側に広がるフランジ３１を備える。フランジ３１には、回転軸２２の軸心に直交する１水平面で仕切られる上向き面３１ａが規定される。この上向き面３１ａに磁気ディスク２５は受け止められる。【００３１】
回転軸２２には、例えば軸心を基準に遠心方向に延びる横穴３２が形成される。横穴３２には遠心方向に変位可能に接触体３３が受け入れられる。横穴３２の底と接触体３３との間には弾性部材すなわち伸縮ばね３４が挟み込まれる。伸縮ばね３４は、遠心方向に横穴３２から接触体３３を押し出す弾性力を発揮する。弾性力の働きで接触体３３の先端は横穴３２から突出する。接触体３３の先端は例えばドーム形状に形作られる。こうして回転軸２２上に接触体３３は支持される。こういった横穴３２や接触体３３は回転軸２２の軸心回りで等間隔に複数箇所（ここでは３箇所）に配置されればよい。【００３２】
回転軸２２にはクランプ３５が装着される。クランプ３５は、回転軸２２を受け入れる円柱空間３６を区画する。この円柱空間３６は回転軸２２の軸心に平行な母線で描かれる。したがって、クランプ２４は、円柱空間３６に案内されつつ回転軸２２の軸心の方向に回転軸２２上を移動することができる。【００３３】
円柱空間３６の両端には、円柱空間から遠ざかるにつれて回転軸の軸心から遠ざかる傾斜面３７が規定される。この傾斜面３７は、例えば回転軸２２の軸心に所定の傾斜角で傾斜する母線に基づき形成される。したがって、傾斜面３７は、円柱空間３６の一端に接続されて、円柱空間３６から遠ざかるにつれて外側に広がる円錐台空間を区画する。クランプ３５は例えば１水平面に対して鏡像関係に構成されればよい。【００３４】
クランプ３５が回転軸２２に完全に装着されると、回転軸２２上のフランジ３１とクランプ３５との間に磁気ディスク２５は挟み込まれる。磁気ディスク２５の裏面は第１平滑面２３に平行に配置される。このとき、クランプ３５上の傾斜面３７には回転軸２２上の接触体３３の先端が突き当てられる。接触体３３の遠心方向の推進力は傾斜面３７の働きで下向きの駆動力としてクランプ３５に伝達される。したがって、伸縮ばね３４の弾性力に応じてクランプ３５は押し付け力を発揮する。この押し付け力に応じて回転軸２２の回転時に回転軸２２回りで磁気ディスク２５の滑りは防止される。【００３５】
クランプ３５の取り外しにあたってクランプ３５は回転軸２２に沿ってフランジ３１から遠ざけられる。すなわち、クランプ３５は上方に引き上げられる。クランプ３５が引き上げられるにつれて、傾斜面３７の働きで接触体３３は伸縮ばね３４の弾性力に抗して後退していく。接触体３３の先端が回転軸２２の軸心に向かって十分に引っ込むと、回転軸２２は円柱空間３６から単純に引き抜かれることができる。【００３６】
クランプ３５の装着にあたって傾斜面３７は真っ先に接触体３３の先端に接触する。円柱空間３６に向かって回転軸２２が押し込まれていくにつれて傾斜面３７は伸縮ばね３４の弾性力に抗して接触体３３を後退させる。こうして接触体３３の配置にも拘わらず、回転軸２２は簡単に円柱空間３６に進入していくことができる。クランプ３５の装着は円滑に実現されることができる。クランプ３５の移動は磁気ディスク２５を介してフランジ３１で受け止められる。ここでは、傾斜面３７は本発明に係るカム面として機能する。【００３７】
以上のような記録ディスク保持装置２９では、回転軸２２に対してクランプ３５が移動するだけでクランプ３５の着脱は実現されることができる。クランプ３５の着脱にあたって作業者の操作は簡素化される。その結果、磁気ディスク２５の交換にあたって作業時間は短縮されることができる。スピンスタンド１１の動作の休止はできる限り短縮されることができる。しかも、クランプ３５の押し付け力は伸縮ばね３４の弾性力に基づき適度に調整されることができる。こういった押し付け力に基づく磁気ディスク２５のうねりは回避されることができる。従来のように例えばねじでクランプが回転軸２２に固定されると、比較的に強い締め付け力でねじがねじ込まれなければ、長時間の磁気ディスク２５の回転中にねじが緩んでしまう。その一方で、このように強い締め付け力が確保されると、磁気ディスク２５には回転軸２２回りでうねりが生成されてしまう。こういったうねりはヘッドスライダの浮上高さの低減を阻害してしまう。【００３８】
以上のような記録ディスク駆動機構ユニット１４では、磁気ディスク２５の回転中にカバー１７はベース１６に重ね合わせられる。磁気ディスク２５の表面は第２平滑面２６に向き合わせられると同時に、磁気ディスク２５の裏面は第１平滑面２３に向き合わせられる。例えば図５から明らかなように、磁気ディスク２５と第１平滑面２３や第２平滑面２６との間隔が十分に狭められると、いわゆるスクイーズ効果に基づき磁気ディスク２５のフラッタすなわち振動は低減される。特に、磁気ディスク２５と第１および第２平滑面２３、２６の間隔が０．５ｍｍを下回ると、従来のようにそういった間隔が１．５ｍｍ以上に設定される場合に比べて著しく振動は抑制されることが確認された。【００３９】
次に、ヘッド保持ユニット１３の構成を簡単に説明する。このヘッド保持ユニット１３はヘッドサスペンション保持装置３６を備える。図６に示されるように、ヘッドサスペンション保持装置３６では固定体３７が支持台１２に不動に固定される。この固定体３７には可動体３８が連結される。可動体３８および固定体３７は１部材から構成される。可動体３８および固定体３７の間には第１および第２連結片３９、４１が区画される。第１および第２連結片３９、４１は、狭小部３９ａ、４１ａで固定体３７および可動体３８にそれぞれ連結される。したがって、固定体３７、可動体３８並びに第１および第２連結片３９、４１は四辺形のリンク機構を構成する。可動体３８は固定体３７に平行に変位する。【００４０】
固定体３７および可動体３８の間には圧電アクチュエータ４２が挟み込まれる。この圧電アクチュエータ４２の一端は第１連結片３９の近傍で固定体３７に結合される。圧電アクチュエータ４２の他端は第２連結片４１に結合される。圧電アクチュエータ４２と第２連結片４１との間にはくびれ４３が区画される。したがって、圧電アクチュエータ４２に対して第２連結片４１は相対的に揺動することができる。【００４１】
ここでは、圧電アクチュエータ４２が一端および他端の間で伸縮すると、その伸縮に応じて第２連結片４１は固定体３７に対して相対的に揺動する。この揺動に応じて可動体３８は圧電アクチュエータ４２の伸縮方向に変位する。すなわち可動体３８は固定体３７に平行に変位する。圧電アクチュエータ４２の伸縮は第２連結片４１で増幅されて可動体３８に伝達される。【００４２】
可動体３８には支持部材４４が結合される。支持部材４４は、可動体３８に結合される第１支持体４４ａと、この第１支持体４４ａに結合される第２支持体４４ｂとを備える。第１支持体４４ａには、ヘッドサスペンション４５の基端でヘッドサスペンションアセンブリ４６に組み込まれる取り付け板４７を可動体３８上に固定する固定機構４８が組み込まれる。この固定機構４８は、例えば第１支持体４４ａに穿たれる第１空気孔４９と、この第１空気孔４９に連結される負圧ポンプ５１とで構成されればよい。負圧ポンプ５１の働きで第１空気孔４９に負圧が生成されると、第１支持体４４ａ上の取り付け板４７は第１支持体４４ａに吸着される。こうしてヘッドサスペンション４５の基端は第１支持体４４ａ上に固定される。ここでは、負圧ポンプ５１と第１空気孔４９との間に電磁切り替え弁５２が組み込まれる。電磁切り替え弁５２は、負圧ポンプ５１との接続に代えて大気圧５３に第１空気孔４９を開放することができる。【００４３】
第２支持体４４ｂには、ヘッドサスペンション４５の先端でヘッドサスペンションアセンブリ４６に組み込まれるヘッドスライダ５４を負圧に基づき可動体３８に向かって引き寄せる吸引機構５５が組み込まれる。この吸引機構５５は、固定機構４８と同様に、例えば第２支持体４４ｂに穿たれる第２空気孔５６と、この第２空気孔５６に連結される負圧ポンプ５１とで構成されればよい。負圧ポンプ５１の働きで第２空気孔５６に負圧が生成されると、第２支持体４４ｂ上のヘッドサスペンション４５は第２支持体４４ｂに吸着される。こうしてヘッドサスペンション４５の先端は第２支持体４４ｂに向かって引き寄せられる。ここでは、負圧ポンプ５１と第２空気孔５６との間に電磁切り替え弁５７が組み込まれる。電磁切り替え弁５７は、負圧ポンプ５１との接続に代えて大気圧５８に第２空気孔５６を開放することができる。負圧ポンプは、固定機構４８の負圧ポンプ５１と共用化されてもよく吸引機構５５に固有に組み込まれてもよい。【００４４】
いま、支持体４４上にヘッドサスペンションアセンブリ４６が置かれると、固定機構４８の働きでヘッドサスペンションアセンブリ４６の取り付け板４７は第１支持体４４ａ上に固定される。こうして取り付け板４７が固定されると、ヘッドサスペンションアセンブリ４６に検査用の配線（図示されず）が接続される。ここでは、ヘッドスライダ５４の空気軸受け面が上向きに配置される。第２空気孔５６は大気圧５８に開放される。【００４５】
続いて記録ディスク駆動機構ユニット１４はヘッド保持ユニット１３に徐々に近づく。回転中の磁気ディスク２５はヘッドスライダ５４の上方に位置決めされる。その後、記録ディスク駆動機構ユニット１４は徐々に下降する。回転中の磁気ディスク２５がヘッドスライダ５４に近づくにつれてヘッドスライダ５４の空気軸受け面には磁気ディスク２５から気流が作用する。こうしてヘッドスライダ５４と磁気ディスク２５の表面との間には空気軸受けの機能が確立される。ヘッドサスペンション４５の押し付け力とヘッドスライダ５４上の正圧すなわち浮力とのバランスに基づきヘッドスライダ５４は磁気ディスク２５から所定の浮上高さで浮上し続ける。ヘッドスライダ５４の浮上中にヘッドスライダ５４上の磁気ヘッドで書き込み動作や読み出し動作は実施される。圧電アクチュエータ４２の働きでヘッドスライダ５４上の磁気ヘッドは磁気ディスク２５上の所望の記録トラックを追随し続ける。こうして磁気ヘッドの機能の評価は実現される。【００４６】
評価が完了すると、ヘッドサスペンション４５には吸引機構５５が作用する。ヘッドサスペンション４５は第２支持体４４ｂに引き寄せられる。その結果、ヘッドスライダ５４は磁気ディスク２５の表面から遠ざけられる。その後、変位部材１５の働きで記録ディスク駆動機構ユニット１４はヘッド保持ユニット１３から遠ざけられていく。こうして磁気ディスク２５はヘッドスライダ５４から遠ざけられる。記録ディスク駆動機構ユニット１４の変位に先立って吸引機構５５の働きでヘッドスライダ５４は磁気ディスク２５から遠ざけられることから、回転中の磁気ディスク２５とヘッドスライダ５４との衝突は確実に回避されることができる。
【図１】
2006097991.tif 000002
【図２】
2006097991.tif 000003
【図３】
2006097991.tif 000004
【図４】
2006097991.tif 000005
【図５】
2006097991.tif 000006
【図６】
2006097991.tif 000007
【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
支持台と、支持台上に固定されて、ヘッドサスペンションを保持するヘッド保持ユニットと、ヘッド保持ユニットに対して相対変位自在に支持台上に配置される変位部材と、変位部材に着脱自在に固定されるベースと、ベースに組み込まれる流体軸受けモータと、ヒンジでベースに連結されるカバーと、ベースに形成されて、流体軸受けモータの回転軸を途切れなく囲む第１平滑面と、第１平滑面に平行にカバーに形成されて、第１平滑面に向き合わせられつつ流体軸受けモータの回転軸を途切れなく囲む第２平滑面とを備えることを特徴とするヘッド機能評価装置。
【請求項２】
ベースと、ベースに組み込まれる流体軸受けモータと、ヒンジでベースに連結されるカバーと、ベースに形成されて、流体軸受けモータの回転軸を途切れなく囲む第１平滑面と、第１平滑面に平行にカバーに形成されて、第１平滑面に向き合わせられつつ流体軸受けモータの回転軸を途切れなく囲む第２平滑面とを備えることを特徴とする記録ディスク駆動機構ユニット。
【請求項３】
回転軸に形成されて、回転軸から遠心方向に外側に広がるフランジと、回転軸の軸心に平行な母線で描かれる円柱空間で回転軸を受け入れ、回転軸の軸心の方向にフランジで受け止められるクランプと、回転軸の軸心から遠心方向に変位可能に回転軸上に支持される接触体と、遠心方向に接触体を押し出す弾性力を発揮する弾性部材とを備え、前記クランプは、前記回転軸の軸心の方向に沿って前記円柱空間から遠ざかるにつれて回転軸の軸心から遠ざかる傾斜面で前記接触体の先端を受け止めることを特徴とする記録ディスク保持装置。
【請求項４】
請求項３に記載の記録ディスク保持装置において、前記クランプには、クランプの移動に伴って接触体との接触に基づき回転軸の軸心に向かって接触体に推進力を加えるカム面が規定されることを特徴とする記録ディスク保持装置。
【請求項５】
固定体と、相対変位自在に固定体に連結される可動体と、固定体および可動体の間に組み込まれる圧電アクチュエータと、ヘッドサスペンションの基端でヘッドサスペンションアセンブリに組み込まれる取り付け板を可動体上に固定する固定機構と、ヘッドサスペンションの先端でヘッドサスペンションアセンブリに組み込まれるヘッドスライダを負圧に基づき可動体に向かって引き寄せる吸引機構とを備えることを特徴とするヘッドサスペンション保持装置。
【国際調査報告】
2006097991.tif 000008
2006097991.tif 000009
2006097991.tif 000010
2006097991.tif 000011
2006097991.tif 000012
2006097991.tif 000013